(57)【特許請求の範囲】
【請求項１】
患者についての急性呼吸窮迫症候群（ＡＲＤＳ）の指標を提供するためのシステムであって、
患者の呼気のガス試料を得るための試料採取装置と、
患者の呼気の前記ガス試料の中のｎ‐オクタンの含有量を測定するための測定ユニットと、
患者の呼気の前記ガス試料の中のｎ‐オクタンの前記含有量が所定の閾値を超えることに基づき、患者がＡＲＤＳを有するか、又はＡＲＤＳを発症する恐れがあるというＡＲＤＳの指標を決定するコントローラと、
ＡＲＤＳの前記指標をユーザに示すためのユーザインターフェースと、
を含む、システム。
【請求項２】
アセトアルデヒド及び／又は３‐メチルヘプタンの含有量を測定するための測定ユニットと、患者の呼気中のｎ‐オクタンの前記含有量、並びにアセトアルデヒド及び／又は３‐メチルヘプタンの前記含有量に基づき、患者がＡＲＤＳを有するか、又はＡＲＤＳを発症する恐れがあるかどうかを区別することができるコントローラと、を含む、請求項１に記載のシステム。
【請求項３】
前記試料採取装置は、吸着管及び／又はエアバッグを含む、請求項１又は２に記載のシステム。
【請求項４】
前記試料採取装置及び前記測定ユニットは、呼気のオンライン測定を可能にする、請求項１乃至３の何れか一項に記載のシステム。
【請求項５】
前記試料採取装置は、患者に人工呼吸を施すためのシステムの一部である人工呼吸器のホースから呼気を試料採取する装置である、請求項１乃至４の何れか一項に記載のシステム。
【請求項６】
前記コントローラは更に、他の患者パラメータを利用する、請求項１乃至５の何れか一項に記載のシステム。
【請求項７】
前記他の患者パラメータは、患者の肺障害予測スコアを含む、請求項６に記載のシステム。
【請求項８】
患者についての急性呼吸窮迫症候群（ＡＲＤＳ）の指標を提供するためのシステムの作動方法であって、
ガス試料を得るために患者の呼気の一部を試料採取するステップと、
前記ガス試料中のｎ‐オクタンの含有量を測定するステップと、
前記ガス試料中のｎ‐オクタンの前記含有量が、患者がＡＲＤＳを有するか、又はＡＲＤＳを発症する恐れがあるかどうかを区別する所定の閾値を超えるかどうかを決定するステップと、を含む、
方法。
【請求項９】
前記閾値は、ガス試料を得るために試料採取する前記ステップ、及び前記ガス試料中のｎ‐オクタンの含有量を測定する前記ステップのために用いられる化学センサの感度と特異度とをバランスさせることによって決定されている、請求項８に記載の方法。
【請求項１０】
患者についての急性呼吸窮迫症候群（ＡＲＤＳ）の指標を提供するためのシステムの作動方法であって、
ガス試料を得るために患者の呼気の一部を試料採取するステップと、
前記ガス試料中のｎ‐オクタンの含有量を測定するステップと、
前記ガス試料中のｎ‐オクタンの測定された前記含有量を用いて、患者がＡＲＤＳを有するか、又はＡＲＤＳを発症する恐れがあるかどうかを決定するステップであって、前記含有量が所定の閾値を超えている場合に、患者がＡＲＤＳを有するか、又はＡＲＤＳを発症する恐れがあると判定するステップと、を含む、
方法。
【請求項１１】
アセトアルデヒド及び／又は３‐メチルヘプタンの含有量が測定され、
患者がＡＲＤＳを有するか、又はＡＲＤＳを発症する恐れがあるかどうかを決定するステップが、前記ガス試料中のｎ‐オクタンの測定された前記含有量、並びにアセトアルデヒド及び／又は３‐メチルヘプタンの測定された前記含有量を用いることによって実行される、請求項８乃至１０の何れか一項に記載の方法。
【請求項１２】
患者の呼気の一部を試料採取する前記ステップは、吸着管及び／又はエアバッグを用いて実行される、請求項８乃至１１の何れか一項に記載の方法。
【請求項１３】
試料採取する前記ステップ及び前記含有量の測定は、オンラインで実行される、請求項８乃至１１の何れか一項に記載の方法。
【請求項１４】
患者は、人工呼吸を施された患者である、請求項８乃至１３の何れか一項に記載の方法。
【請求項１５】
患者がＡＲＤＳを有するか、又はＡＲＤＳを発症する恐れがあるかどうかを決定するときに、ｎ‐オクタンの測定された前記含有量の関連性を検証するために、他の患者パラメータが用いられる、請求項８乃至１４の何れか一項に記載の方法。
【請求項１６】
前記他の患者パラメータは、患者の肺障害予測スコアを含む、請求項１５に記載の方法。
【発明の詳細な説明】
【技術分野】
【０００１】
本発明は、患者が、ＡＲＤＳとも呼ばれる急性呼吸窮迫症候群を有するか、又はＡＲＤＳを発症しつつあるかどうかを決定するための方法を対象とする。また、本発明は、ＡＲＤＳを検出するためのシステムを対象とする。
【背景技術】
【０００２】
挿管され、人工呼吸が施される患者の肺は、人工気道、非生理的気道陽圧の使用、及び一回換気量／圧力に関連する肺組織の過伸展が少なくとも原因の一部で、感染や障害を起こしやすい。よく見られる合併症は、人工呼吸器感染肺炎（ＶＡＰ）及び人工呼吸器関連肺障害（ＶＡＬＩ）である。肺炎及び／又は急性呼吸窮迫症候群（ＡＲＤＳ）に起因する元からある肺障害は、人工呼吸によって悪化し、高まった罹患率及び死亡率をもたらす恐れがある。胸部Ｘ線での肺浸潤を含む、感染及び／又は障害の臨床症状には、肺の内部の分子及び細胞の変化が先行する。分子及び細胞の主要な病態生理学的メカニズムの適時適切な検出は、潜在的に、迅速な治療の開始や標的を狙った治療的介入につながり得る。したがって、肺障害、とりわけＡＲＤＳのための早期且つ正確な生物学的マーカが、患者内のＡＲＤＳの発症を予測するためか、又はＡＲＤＳを発症しているときに早期の診断を強化するために、大いに必要とされる。
【０００３】
更に、ＡＲＤＳのための有効且つ信頼性のある定義は、臨床管理のために、また、一貫性のある患者表現型の臨床試験への登録を容易にするために重要であると考えられる。現在用いられているベルリン基準は、経験的に選択された臨床的、放射線学的、及び生理学的な可変要素である。この定義は、疫学的研究のために高度に適するが、死後の病理学的所見との緩やかな相関しか示さない。ＡＲＤＳは依然として肺炎又は心原性肺水腫（ＣＰＥ）と間違われる恐れがあり、逆も同じである。
【０００４】
Crader等の「J Pulmonar Respirat Med 2012, 2:1」において、患者のためにＡＲＤＳを予測するための、可能性のある多数のバイオマーカが説明されている。この概説論文は、呼気及び呼気凝縮体中のバイオマーカを評価するための多数のアプローチが提案されているが、今のところ一つも用いられていないと述べている。また論文は、呼気バイオマーカを用いることは、ＡＲＤＳの発症に寄与する恐れのある条件を直接且つ繰り返し分析する非侵襲的な態様を提供し得るので、呼気バイオマーカを用いることの可能性がかなりあるとも述べている。
【０００５】
現在、胸部Ｘ線は、進行した段階でのＡＲＤＳの診断を可能にする。欠点は、胸部Ｘ線は患者を放射線の投与量に曝すことである。気道吸引又は気道洗浄は、早期検出を提供する。これらのやり方の欠点は、これらは患者にとって侵襲的で有害であることである。更に、上記のやり方は全て、患者がＡＲＤＳを有するか、又はＡＲＤＳを発症する恐れがあるかどうかの頻繁なチェックに適さない。
【発明の概要】
【発明が解決しようとする課題】
【０００６】
本発明は、迅速な治療開始や標的を狙った治療的介入につながり得る、ＡＲＤＳの適時適切な検出を提供することのできる方法及びシステムを対象とする。
【課題を解決するための手段】
【０００７】
これは、以下の方法によって達成される。当該方法は、ガス試料を得るために患者の呼気の一部を試料採取するステップと、ガス試料中のｎ‐オクタンの含有量を測定するステップと、ガス試料中のｎ‐オクタンの測定された含有量を用いて、患者がＡＲＤＳを有するか、又はＡＲＤＳを発症する恐れがあるかどうかを決定するステップとを含む。
【０００８】
出願人は、ＡＲＤＳを有しない患者の呼気中のｎ‐オクタンの含有量と比較して、より高い呼気中のｎ‐オクタンの含有量は、ＡＲＤＳに関する指標となることを見出した。したがってｎ‐オクタンは、患者がＡＲＤＳを発症しているかどうかを評価するための適切な呼気バイオマーカである。したがってこの方法は、ＡＲＤＳの適時検出を強化する。更に、方法は、ＡＲＤＳ疾病の重症度、人工呼吸器の設定、又は併存疾患の影響を受けないことが見出された。
【０００９】
また、本発明は、
患者についてのＡＲＤＳの指標を提供するためのシステムであって、
患者の呼気のガス試料を得るための試料採取装置と、
患者の呼気中のｎ‐オクタンの含有量を測定するための測定ユニットと、
患者についてのＡＲＤＳの指標をもたらす患者の呼気中のｎ‐オクタンの含有量に基づき、患者がＡＲＤＳを有するか、又はＡＲＤＳを発症する恐れがあるかどうかを区別することができ、患者についてのＡＲＤＳの指標に関する出力を提供するためのプロトコルを備えるコントローラと、
ＡＲＤＳの指標をユーザに示すためのユーザインターフェースと、
を含む、システムも対象とする。
【００１０】
好ましくは、方法は、例えば挿管を介して侵襲的に、又は例えばマスクを用いて非侵襲的に人工呼吸を施された患者のために用いられる。方法は、家庭で、サービスフラットや老人ホーム内で、及び病院内で実行され得る。方法は特に、病院の集中治療室内で治療される患者のために適している。
【００１１】
ガス試料中のｎ‐オクタンの測定された含有量を用いて、患者がＡＲＤＳを発症する恐れがあるかどうか、また、とりわけ患者がＡＲＤＳを有するかどうかを決定するステップは、測定された含有量が、ＡＲＤＳに関する予測となると見出された所定の閾値を超えるかどうかを決定することによって実行される。また、ｎ‐オクタンの含有量の一部の値に関する予測の感度が実際の使用のために十分ではなく、追加の検証が必要とされることも想定される。斯様な検証のための、可能性のある追加の測定値及びデータは、下記に説明される。また、例えば方法をオンラインで実行するときに、ｎ‐オクタンの含有量が継続的に又は半継続的に測定されるときには、患者がＡＲＤＳを有するか、又はＡＲＤＳを発症する恐れがあるかどうかを決定する測定値として、患者の呼気中のｎ‐オクタンの含有量の増加率を用いることも可能である。患者がＡＲＤＳを有するか、又はＡＲＤＳを発症する恐れがあるかどうかの決定は、下記に更に説明されるように、ユーザインターフェースによってユーザに伝達される。
【００１２】
更に出願人は、ＡＲＤＳを有しない患者の呼気中のアセトアルデヒド及び／又は３‐メチルヘプタンの含有量と比較したときに、より低いアセトアルデヒド及び／又は３‐メチルヘプタンの含有量も、ＡＲＤＳに関する指標となることを見出した。好ましくは、これら化合物のうちの一方あるいは両方の測定された含有量は、患者がＡＲＤＳを有するか、又はＡＲＤＳを発症する恐れがあるかどうかを決定するために用いられる。より好ましくは、これら化合物のうちの一方あるいは両方の測定された含有量は、患者がＡＲＤＳを有するか、又はＡＲＤＳを発症する恐れがあるかどうかを決定するときに、ｎ‐オクタンの測定された含有量の関連性を検証するために用いられる。出願人は、ＡＲＤＳを決定するためにあまり有意ではない領域内にあるｎ‐オクタンの含有量が測定されるときに、斯様な追加のデータは、方法の感度を改善することを見出した。追加的に又は代替的に、方法の感度は、他の患者パラメータを用いても改善され得る。他の患者パラメータとは、上述の患者の呼気中のｎ‐オクタン、アセトアルデヒド、及び／又は３‐メチルヘプタンではない、患者に関する任意の情報を意味する。斯様な他の患者パラメータは例えば、人工呼吸器の設定及び／又はパラメータ、例えば心拍数、酸素化、体温等といった患者の監視データ、並びに、例えば肺炎、心不全、敗血症、膵炎等といった患者病歴のデータである。斯様な他の患者パラメータの例は、患者の肺障害予測スコア（ＬＩＰＳ）を含む。出願人は、ＬＩＰＳは、患者がＡＲＤＳを有するか、又はＡＲＤＳを発症する恐れがあるかどうかを決定するときに、ｎ‐オクタンの測定された含有量の関連性を検証するために用いられ得ることを見出した。肺障害予測スコア（ＬＩＰＳ）はよく知られており、Gaijc O.等によって「Am J Respir Crit Care Med 2011 Feb 15; 183(4):462-70」において説明されている。
【００１３】
方法は、ガス試料を得るために患者の呼気の一部を試料採取するステップと、これに続く、ガス試料のｎ‐オクタンの含有量についてのガス試料の測定、並びにオプションでガス試料のアセトアルデヒド及び／又は３‐メチルヘプタンの含有量についてのガス試料の測定も含む。呼気は、オフライン又はオンラインで試料採取され、測定される。斯様なオフラインの方法での使用のためのシステムの試料採取装置は、吸着管及び／又はエアバッグを好適に含む。オフラインで実行される方法の例は以下のとおりであり、患者は一定の時間量の間、例えばテドラー（登録商標）バッグといったエアバッグの中へと息を吐く。これは、バッグが患者の呼気で充填されることをもたらす。エアバッグの内容物は直接測定される。代替的に、ポンプ及び質量流量コントローラがバッグに接続され、収集されたエアが吸着管を通って、一定の時間量の間、一定の流量で押し出されるか、又は引き込まれてもよい。バッグの中に息を吐くことができない人工呼吸を施された患者は、吸着管を通じて直接呼気試料を引き込む、ベッドサイドにある小さなポンプによって、オフラインで試料採取される。斯様に得られる吸着管は、患者の呼気中に存在する化合物の代表量を含む。
【００１４】
続いて、試料採取装置内に存在するｎ‐オクタン、並びにオプションでアセトアルデヒド及び／又は３‐メチルヘプタンの含有量が、分析技術によって測定される。好ましくは、斯様な技術は、例えば飛行時間型質量分析（ＴＯＦ‐ＭＳ）、赤外分光法、及びイオン移動度分光分析（ＩＭＳ）等の分光分析技術、並びに好ましくはガスクロマトグラフィ質量分析（ＧＣ‐ＭＳ）である。これらの技術は、個々の分子化合物についての知識を提供し、呼気試料中のｎ‐オクタンの含有量、並びにオプションのアセトアルデヒド及び／又は３‐メチルヘプタンの含有量についての正確な測定を提供し得る。したがって、呼気の一部を試料採取するステップは、吸着管を用いて実行され、含有量を測定するステップは、ガスクロマトグラフィ質量分析（ＧＣ‐ＭＳ）によって実行される。しかしながら斯様な方法は、かなり面倒な手順、比較的大きな装置、及び訓練されたオペレータを必要とする。
【００１５】
上記の理由のために、方法は好ましくは、オンラインで実行される。斯様なオンラインの方法では、患者の呼気がセンサ又はセンサのアレイに受動的又は能動的に運ばれる。このアプローチは、監視に関して、処理の容易さ及び速さのおかげで好ましい。この方法を用いると、例えばポンプを用いることによって人工呼吸器のホースから呼気を試料採取する装置内に、呼気分析器が組み込まれる。呼気試料中のｎ‐オクタン、並びにオプションのアセトアルデヒド及び／又は３‐メチルヘプタンの含有量のオンライン測定は例えば、いわゆる電子の鼻（ｅＮｏｓｅ）、又は、例えば小型化ＧＣ（マイクロＧＣ）のような小型化分光分析ユニット、質量分析法、イオン移動度分光法（ＩＭＳ）、及び／若しくはＦＡＩＭＳ（強磁場波形ＩＭＳ）によって実行される。好ましくは、斯様な呼気分析器は、ｎ‐オクタン、並びにオプションでアセトアルデヒド及び／又は３‐メチルヘプタンを特異的に測定する。
【００１６】
ｅＮｏｓｅは、計量化学処理ツールと組み合わされた非特異的なガスの化学センサのアレイからなる。的確なタイプの化学センサ及び計量化学処理手法に関して、様々な技術が存在する。センサ及び処理手法の選択は、ｎ‐オクタン、並びにオプションでアセトアルデヒド及び／又は３‐メチルヘプタンにも依存する。可能性のある測定手法は、分子インプリンティング又は赤外線照明を用いた光学技術に基づく。当業者は、感度と特異度とをバランスさせながら閾値を調節することによって、斯様な装置のための最適な設定が見出され得ることを知っているであろう。
【００１７】
より好ましいオンラインの方法では、呼気分析器は、人工呼吸器システム内に組み込まれるか、又は患者モニタ内に組み込まれる。これは、患者のベッドサイドでの追加の装置の必要性をなくし、また、継続的な呼気の監視を可能にする。更に、ＡＲＤＳ患者の肺は、圧力の変化に対して脆弱である。人工呼吸器のチューブに追加の装置をつなげるか、又は切り離すことは、人工呼吸器システムにおける継続的な圧力に悪影響を与え、ひいては肺を損傷する恐れがある。呼気分析器を人工呼吸器システム内へと組み込むために、ｅＮｏｓｅのタイプの技術が用いられるか、又は、例えば上述の小型化分光分析ユニットのような、ｎ‐オクタン、アセトアルデヒド、及び／若しくは３‐メチルヘプタンの専用センサが用いられてもよい。
【００１８】
また、本発明は、ＡＲＤＳのインビボ（生体内）診断における使用のためのｎ‐オクタン、並びにＡＲＤＳのインビボ診断における使用のためのアセトアルデヒド及び／又は３‐メチルヘプタンも対象とする。
【００１９】
また、本発明は、上述のシステムも対象とする。患者についてのＡＲＤＳの指標を提供するための斯様なシステムは、患者の呼気のガス試料を得るための試料採取装置を含む。システムは、患者の呼気中のｎ‐オクタン、並びにオプションでアセトアルデヒド及び／又は３‐メチルヘプタンの含有量を測定するための測定ユニットを更に含む。また、システムは、患者についてのＡＲＤＳの指標をもたらす患者の呼気中のｎ‐オクタン、アセトアルデヒド及び／又は３‐メチルヘプタンの含有量に基づき、患者がＡＲＤＳを有するか、又はＡＲＤＳを発症する恐れがあるかどうかを区別することができ、患者についてのＡＲＤＳの指標に関する出力を提供するためのプロトコルを備えるコントローラも含む。コントローラは、患者がＡＲＤＳを有するか、又はＡＲＤＳを発症する恐れがあるかどうかの決定のための上述の論理を、本発明による方法のために好適に用いる。また、システムは、ＡＲＤＳの指標をユーザに示すためのユーザインターフェースも含む。斯様なユーザインターフェースは、患者の傍ら（ポイント・オブ・ケア）に存在するか、人工呼吸器ユニットのモニタの一部であるか、又は１以上の本発明によるシステムとの組合せで用いられる携帯型インターフェースであってさえよい。
【００２０】
好ましくは、測定ユニットは、ｎ‐オクタンの含有量を測定するためのユニットであり、コントローラは、好ましくは、患者の呼気中のｎ‐オクタンの含有量に基づき、とりわけ上述の方法により、患者がＡＲＤＳを有するか、又はＡＲＤＳを発症する恐れがあるかどうかを区別することができる。
【００２１】
試料採取装置は、呼気中の特異的な化合物の含有量のオフライン測定に適している。好適には、試料採取装置は吸着管及び／又はエアバッグを含み、測定ユニットは、上記の方法に関して説明された分光分析ユニットである。
【００２２】
より好ましくは、試料採取装置及び測定ユニットは、呼気のオンライン測定を可能にする。上述のとおり、斯様な試料採取装置は、好適には、患者に人工呼吸を施すためのシステムの一部である人工呼吸器のホースから呼気を試料採取する装置である。斯様なオンラインシステムの測定ユニットは、好適には、前述の電子の鼻、例えば小型化形式のＧＣ（マイクロＧＣ）のような小型化分光分析ユニット、質量分析法、イオン移動度分光法（ＩＭＳ）、及び／又はＦＡＩＭＳ（強磁場波形ＩＭＳ）であり、斯様な測定ユニットは、ｎ‐オクタン、並びにオプションでアセトアルデヒド及び／又は３‐メチルヘプタンを特異的に測定する。
【００２３】
好ましくは、方法及びシステムは、特に規制上の問題との関連で、人工呼吸器を圧力及び流量の点で妨害してはならない。したがって、例えば図１に示されるようなサイドストリームのアプローチが好ましい。図１は、人工呼吸を施された患者４からのエアがいわゆるサイドストリームのアプローチを用いて試料採取される、オフラインシステムのための概略的なセットアップを示す。導管６と熱及び湿度交換器（ＨＭＥ）３を介して人工呼吸器ユニット７に接続される挿管チューブ５の外側部分が示される。人工呼吸器ユニット７は、流量センサと、コントローラと、ガス流発生器とを含む。エアは、ポンプ及び流量コントローラ１を用いて、サイドストリーム導管８を介して収集される。ポンプ及び流量コントローラ１は、小さな機械式ポンプを用いて、吸着管２を通過する呼気の制御された流れを可能にする。オンラインシステムでは、図１におけるのと同様に、吸着管が組み込まれていなくてもよい。斯様なシステムでは、ポンプ及び流量コントローラ１は、ｎ−オクタン、並びにオプションでアセトアルデヒド及び／又は３‐メチルヘプタンの含有量を測定するための測定ユニットも含む。好適には、斯様なサイドストリームのアプローチは、人工呼吸器装置に一体化され、ベッドサイドでの余分な装置を回避し、また、脆弱な肺に損害を与える恐れがある人工呼吸器システムでの急激な圧力変化を回避する。
【図面の簡単な説明】
【００２４】
【図１】図１は、人工呼吸を施された患者４からのエアがいわゆるサイドストリームのアプローチを用いて試料採取される、オフラインシステムの概略的なセットアップを示す。
【図２】ガスクロマトグラフィ質量分析法（ＧＣ‐ＭＳ）によって、吸着管内のｎ‐オクタンの含有量が分析された。図２に結果が提示される。
【図３】図３は、いわゆる受診者動作特性（ＲＯＣ）を示す。
【発明を実施するための形態】
【００２５】
（実施例）
臨床試験では、人工呼吸を施された集中治療室の５４人（ＡＲＤＳの２４人、ＡＲＤＳではない３０人）の患者が、図１に示されるシステムを用いた呼気分析の対象となった。ガスクロマトグラフィ質量分析法（ＧＣ‐ＭＳ）によって、吸着管内のｎ‐オクタンの含有量が分析された。図２に結果が提示される。この図では、ＡＲＤＳを有しない患者の呼気中のｎ‐オクタンの存在量との比較において、ＡＲＤＳを有する患者に関するｎ‐オクタンの存在量に、有意差が観察される。ｎ‐オクタンの存在量は、電子イオン化を用いて様々な質量電荷比（ｍ／ｚ）のフラグメントを生成するＧＣ‐ＭＳの一部としての質量分析計によって測定される、ｍ／ｚ＝１１４でのＧＣ‐ＭＳフラグメントの数で表現される。分類器モデルを構築してこれを内部検証することは、呼気分析を用いてｎ‐オクタンの存在量を監視することによって、ＡＲＤＳを有しない患者からＡＲＤＳを有する患者を区別し得ることを示している。これは図３によって示される。図３は、いわゆる受診者動作特性（ＲＯＣ）を示す。図３は、３つのカーブを示し：
破線は、ＡＲＤＳ患者を区別する際にｎ‐オクタン（Ｃ８）に基づく、分類器の性能を表す（ＡＵＣ：０．８０（９５％‐ＣＩ：０．７１‐０．８８））。
点線は、ＡＲＤＳ患者を区別する際にＬＩＰＳに基づく、分類器の性能を表す（ＡＵＣ：０．７８（９５％‐ＣＩ：０．７０‐０．８７））。
実線は、ＡＲＤＳ患者を区別する際にｎ‐オクタン（Ｃ８）に基づき、ＬＩＰＳによって検証される、分類器の性能を表す（ＡＵＣ：０．９１（９５％‐ＣＩ：０．８５‐０．９７））。
【００２６】
図３における結果は、ｎ‐オクタンは、ＡＲＤＳのための良好なバイオマーカであり、所与の特異度における感度は、ｎ‐オクタンの測定された含有量を患者のＬＩＰＳを用いて検証することによって、更に一層強化され得ることを示す。
【００２７】
出願人の実験において、出願人は更に、アセトアルデヒド及び３‐メチルヘプタンをＡＲＤＳのための好適なバイオマーカとして特定した。更に出願人は、ＡＲＤＳを有する患者とＡＲＤＳを有しない患者との間の呼気のイソプレン濃度において、差が観察されなかったことを見出した。イソプレンは、Schubert等の「Application of a new method for analysis
of exhaled gas in critically ill patients」、Intensive
Care Med 1998;24:415-421によって、バイオマーカとして報告されている。結果における相違は、この研究対象の患者は、ＩＣＵ入院の後２４時間以内、よってＡＲＤＳの発症の早期である患者が含まれたのに対し、Schubert等の研究における患者は、病気の経過の後の患者が含まれたという事実に起因すると思われる。したがって、本発明による方法及びシステムは、ＡＲＤＳの発症初期を検出するのに、より有効である。
いくつかの態様を記載しておく。
〔態様１〕
患者についての急性呼吸窮迫症候群（ＡＲＤＳ）の指標を提供するためのシステムであって、
患者の呼気のガス試料を得るための試料採取装置と、
患者の呼気中のｎ‐オクタンの含有量を測定するための測定ユニットと、
患者の呼気中のｎ‐オクタンの前記含有量に基づき、患者がＡＲＤＳを有するか、又はＡＲＤＳを発症する恐れがあるかどうかを区別して患者についてのＡＲＤＳの指標を与えることができ、患者についてのＡＲＤＳの前記指標に関する出力を提供するためのプロトコルを備えるコントローラと、
ＡＲＤＳの前記指標をユーザに示すためのユーザインターフェースと、
を含む、システム。
〔態様２〕
アセトアルデヒド及び／又は３‐メチルヘプタンの含有量を測定するための測定ユニットと、患者の呼気中のｎ‐オクタンの前記含有量、並びにアセトアルデヒド及び／又は３‐メチルヘプタンの前記含有量に基づき、患者がＡＲＤＳを有するか、又はＡＲＤＳを発症する恐れがあるかどうかを区別することができるコントローラと、を含む、態様１に記載のシステム。
〔態様３〕
前記試料採取装置は、吸着管及び／又はエアバッグを含む、態様１又は２に記載のシステム。
〔態様４〕
前記試料採取装置及び前記測定ユニットは、呼気のオンライン測定を可能にする、態様１乃至３の何れか一項に記載のシステム。
〔態様５〕
前記試料採取装置は、患者に人工呼吸を施すためのシステムの一部である人工呼吸器のホースから呼気を試料採取する装置である、態様１乃至４の何れか一項に記載のシステム。
〔態様６〕
前記コントローラは更に、他の患者パラメータを利用する、態様１乃至５の何れか一項に記載のシステム。
〔態様７〕
前記他の患者パラメータは、患者の肺障害予測スコアを含む、態様６に記載のシステム。
〔態様８〕
ガス試料を得るために患者の呼気の一部を試料採取するステップと、前記ガス試料中のｎ‐オクタンの含有量を測定するステップと、前記ガス試料中のｎ‐オクタンの前記含有量が所定の閾値を超えるかどうかを決定するステップと、を含む、方法。
〔態様９〕
前記閾値は、ＡＲＤＳに関する予測となるように決定されている、態様８に記載の方法。
〔態様１０〕
前記閾値は、ガス試料を得るために試料採取する前記ステップ、及び前記ガス試料中のｎ‐オクタンの含有量を測定する前記ステップのために用いられる化学センサの感度と特異度とをバランスさせることによって決定されている、態様８又は９に記載の方法。
〔態様１１〕
ガス試料を得るために患者の呼気の一部を試料採取するステップと、前記ガス試料中のｎ‐オクタンの含有量を測定するステップと、前記ガス試料中のｎ‐オクタンの測定された前記含有量を用いて、患者がＡＲＤＳを有するか、又はＡＲＤＳを発症する恐れがあるかどうかを決定するステップと、を含む、方法。
〔態様１２〕
アセトアルデヒド及び／又は３‐メチルヘプタンの含有量が測定され、
患者がＡＲＤＳを有するか、又はＡＲＤＳを発症する恐れがあるかどうかを決定するステップが、前記ガス試料中のｎ‐オクタンの測定された前記含有量、並びにアセトアルデヒド及び／又は３‐メチルヘプタンの測定された前記含有量を用いることによって実行される、態様８乃至１１の何れか一項に記載の方法。
〔態様１３〕
患者の呼気の一部を試料採取する前記ステップは、吸着管及び／又はエアバッグを用いて実行される、態様８乃至１２の何れか一項に記載の方法。
〔態様１４〕
試料採取する前記ステップ及び前記含有量の測定は、オンラインで実行される、態様８乃至１２の何れか一項に記載の方法。
〔態様１５〕
患者は、人工呼吸を施された患者である、態様８乃至１４の何れか一項に記載の方法。
〔態様１６〕
患者がＡＲＤＳを有するか、又はＡＲＤＳを発症する恐れがあるかどうかを決定するときに、ｎ‐オクタンの測定された前記含有量の関連性を検証するために、他の患者パラメータが用いられる、態様８乃至１５の何れか一項に記載の方法。
〔態様１７〕
前記他の患者パラメータは、患者の肺障害予測スコアを含む、態様１６に記載の方法。
〔態様１８〕
ＡＲＤＳの診断における使用のための、ｎ‐オクタン。
〔態様１９〕
前記診断はインビボ診断である、態様１８に記載のＡＲＤＳの診断における使用のためのｎ‐オクタン。
【図１】
0006571673.tif 000002
【図２】
0006571673.tif 000003
【図３】
0006571673.tif 000004